(57)【要約】【課題】  簡易な構造であってポンプメンテナンス性が向上した横型渦巻きポンプ用の防音カバーを提供する。【解決手段】  防音カバーは、横型渦巻きポンプ用の防音カバーであって、左壁部と右壁部と天井部とを備え、前方及び後方は開放されている。天井部は、左右に開閉可能な左天井部及び右天井部を有している。左天井部は左壁部に折り曲げ可能に連結され、右天井部は右壁部に折り曲げ可能に連結されている。【選択図】  図１
2017160882.tif 000002
【特許請求の範囲】
【請求項１】
横型渦巻きポンプ用の防音カバーであって、
左壁部と右壁部と天井部とを備え、前方及び後方は開放されており、
前記天井部は、左右に開閉可能な左天井部及び右天井部を有し、
前記左天井部は前記左壁部に折り曲げ可能に連結され、前記右天井部は前記右壁部に折り曲げ可能に連結されている
ことを特徴とする防音カバー。
【請求項２】
前記天井部は、アーチ形状又は三角屋根形状を有する
ことを特徴とする請求項１に記載の防音カバー。
【請求項３】
内側に保温材が配置されている
ことを特徴とする請求項１または２に記載の防音カバー。
【請求項４】
内側に放熱材が配置されている
ことを特徴とする請求項１または２に記載の防音カバー。
【請求項５】
前記左天井部及び前記右天井部のいずれか一方又は両方には、横型渦巻きポンプの吐出し配管が通過する切欠きが形成されており、
前記切欠きの内側には前記吐出し配管を挟み込む防振ゴムが固定されている
ことを特徴とする請求項１〜４のいずれかに記載の防音カバー。
【発明の詳細な説明】
【技術分野】
【０００１】
本発明は、横型渦巻きポンプ用の防音カバーに関する。
【背景技術】
【０００２】
横型渦巻きポンプとは、流体を横から吸い込んで上向きに送り出す渦巻きポンプである。プラント等におけるポンプの周囲には、ポンプからの騒音の発生を防ぐために防音カバーが設置される。防音カバーは、通常、工場の基礎に直接、もしくはベースと呼ばれる台座にボルトにて据え付けられる。
【０００３】
特許文献１には、ポンプの全周を覆う箱型の防音カバーが開示されている。また、ポンプを設置する部屋ごと防音する方法も知られている。
【先行技術文献】
【特許文献】
【０００４】
【特許文献１】特開平１１−２３０１００号公報
【発明の概要】
【発明が解決しようとする課題】
【０００５】
しかしながら、特許文献１に記載された箱型の防音カバーでは、ポンプメンテナンス時の分解／組立作業に大きなスペースを確保する必要があり、作業量も多くなるという問題がある。また、ポンプを部屋ごと隔離する場合には、大掛かりな工事が必要になり、大きな初期投資が必要である。
【０００６】
本発明は、以上のような問題点に着目し、これを有効に解決すべく創案されたものである。本発明の目的は、簡易な構造であってポンプメンテナンス性が向上した横型渦巻きポンプ用の防音カバーを提供することにある。
【課題を解決するための手段】
【０００７】
本発明による防音カバーは、横型渦巻きポンプ用の防音カバーであって、
左壁部と右壁部と天井部とを備え、前方及び後方は開放されており、
前記天井部は、左右に開閉可能な左天井部及び右天井部を有し、
前記左天井部は前記左壁部に折り曲げ可能に連結され、前記右天井部は前記右壁部に折り曲げ可能に連結されている。
【０００８】
本発明によれば、天井部が左天井部及び右天井部に分割されており、両開き扉のように左右に開閉することができるため、防音カバーの分解及び組立作業が容易である。また、左天井部及び右天井部が左右に開かれる際に、左天井部及び右天井部はそれぞれ左壁部及び右壁部に連結されていて分離されないため、防音カバーの組立時に左天井部と右天井部とを付け間違えるおそれがない。したがって、従来の箱型の防音カバーに比べて、ポンプメンテナンス性が大幅に向上する。
【０００９】
また、本発明によれば、前方及び後方が開放された簡易な構造であるため、ポンプの吸込み配管やモーターと物理的に干渉する部分が少ない。したがって、様々なサイズのポンプに適合することが可能である。
【００１０】
本発明による防音カバーにおいて、前記天井部は、アーチ形状又は三角屋根形状を有してもよい。このような態様によれば、左天井部及び右天井部が左右に閉じられた状態では、左天井部と右天井部とが互いの重力を支え合う。これにより、左壁部及び右壁部との折り曲げ部分にかかる負荷が低減され、折り曲げ部分の疲労による破損が低減され得る。
【００１１】
本発明による防音カバーにおいて、内側に保温材が配置されていてもよい。このような態様によれば、ポンプから発生する騒音が保温材により吸収されることで、防音効果が向上する。また、低温環境でのポンプの使用において保温効果を得ることができ、ポンプ内での流体の凍結を防止することができる。
【００１２】
本発明による防音カバーにおいて、内側に放熱材が配置されていてもよい。このような態様によれば、ポンプから発生する騒音が放熱材により吸収されることで、防音効果が向上するとともに、高温環境でのポンプの使用において放熱効果を得ることができ、高温によりポンプが破損することを防止できる。
【００１３】
本発明による防音カバーにおいて、前記左天井部及び前記右天井部のいずれか一方又は両方には、横型渦巻きポンプの吐出し配管が通過する切欠きが形成されており、前記切欠きの内側には前記吐出し配管を挟み込む防振ゴムが固定されていてもよい。このような態様によれば、キャビテーション時における吐出し配管の振動及び騒音が防振ゴムにより効果的に吸収され得る。これにより、防音効果がさらに向上する。
【発明の効果】
【００１４】
本発明によれば、簡易な構造であってポンプメンテナンス性が向上した横型渦巻きポンプ用の防音カバーを提供することができる。
【図面の簡単な説明】
【００１５】
【図１】図１は、本発明の一実施の形態による防音カバーを横型渦巻きポンプと共に示す斜視図である。
【図２】図２は、ポンプメンテナンス時における防音カバーを示す斜視図である。
【発明を実施するための形態】
【００１６】
以下、本発明の実施の形態について、図面を参照しながら説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００１７】
図１は、本発明の一実施の形態による防音カバーを横型渦巻きポンプと共に示す斜視図である。図２は、ポンプメンテナンス時における防音カバーを示す斜視図である。
【００１８】
図１及び図２に示すように、本実施の形態による防音カバー１０は、横型渦巻きポンプ用の防音カバーであって、左壁部１１と右壁部１２と天井部１３とを備えており、前方及び後方は開放されている。防音カバー１０の内側には、横型渦巻きポンプ２０が配置されている。なお、本明細書では、横型渦巻きポンプ２０を単に「ポンプ」と呼ぶことがある。
【００１９】
図示された例では、横型渦巻きポンプ２０は、吸込口２１が前方（図の手前側）に向けられた姿勢で、ベースと呼ばれる台座１９にボルトにて据え付けられている。ポンプ２０の後方にはポンプ２０を駆動するためのモーター（不図示）が設置されている。また、ポンプ２０の吸込口２１には、円筒状の吸込み配管（不図示）が前方に延びるように接続されており、ポンプ２０の吐出口２２には、円筒状の吐出し配管２３が上方に延びるように接続されている。
【００２０】
防音カバー１０の左壁部１１及び右壁部１２は、それぞれ、横型渦巻きポンプ２０の左側及び右側に互いに向かい合うように配置されている。左壁部１１の下端部と右壁部１２の下端部とはそれぞれ台座１９にボルトにて固定されている。
【００２１】
天井部１３は、アーチ形状（半円筒形状、かまぼこ形状）を有しており、ポンプ２０の上方を覆うように、左壁部１１と右壁部１２との間に架け渡されている。ポンプ２０の吐出し配管２３は、天井部１３を貫通するように延ばされている。
【００２２】
ところで、従来の箱型の防音カバーの場合には、ポンプ２０の吸込み配管が、防音カバーの前方又は後方の壁を貫通するように延ばされている。そのため、横型渦巻きポンプ２０のサイズが変更され、吸込口２１の高さ位置が変わってしまうと、吸込み配管（不図示）がカバーの前方又は後方の壁と物理的に干渉するという問題がある。
【００２３】
一方、本実施の形態の防音カバー１０では、前方及び後方が開放されているため、ポンプ２０のサイズが変更され、吸込口２１の高さ位置が変わっても、吸込み配管（不図示）が防音カバー１０と物理的に干渉することがない。そのため、本実施の形態による防音カバー１０は、様々なサイズのポンプ２０に適合することが可能である。
【００２４】
図１及び図２に示すように、防音カバー１０の天井部１３は、左右に開閉可能な左天井部１３ａ及び右天井部１３ｂを有している。左天井部１３ａは左壁部１１にヒンジ１６を用いて折り曲げ可能に連結されている。また、右天井部１３ｂは右壁部１２にヒンジ（不図示）を用いて折り曲げ可能に連結されている。これにより、天井部１３を両開き扉のように左右に開閉することができ、防音カバー１０の分解及び組立作業を容易に行うことができる。
【００２５】
図示された例では、左天井部１３ａの端部及び右天井部１３ｂの端部に、互いに係合可能な留め具１７が設けられている。左天井部１３ａ及び右天井部１３ｂが左右に閉じられた後、左天井部１３ａの端部及び右天井部１３ｂの端部は留め具１７を用いて互いに固定される。これにより、ポンプ２０の振動の影響などにより天井部１３が不意に開いてしまって騒音が外部に漏れだすことを防止できる。
【００２６】
図１及び図２に示すように、左天井部１３ａ及び右天井部１３ｂには、それぞれ、ポンプ２０の吐出し配管２３が通過する切欠き１４ａ、１４ｂが形成されている。図示された例では、切欠き１４ａ、１４ｂはそれぞれ半円形状を有しており、天井部１３が左右に閉じられた状態では、左天井部１３ａの切欠き１４ａと右天井部１３ｂの切欠き１４ｂとが組み合わされることで、天井部１３には吐出し配管２３より一回り大きい円形状の貫通穴が形成される。
【００２７】
切欠き１４ａ、１４ｂの内側には吐出し配管２３を挟み込む防振ゴム１５が固定されている。防振ゴム１５は、切欠き１４ａ、１４ｂと吐出し配管２３の間において吐出し配管２３の周囲を３６０°囲むように設けられている。
【００２８】
本実施の形態では、防音カバー１０の内側に保温材１８が配置されている。図示された例では、保温材１８は、左壁部１１及び右壁部１２の内側に貼り付けられている。保温材１８としては、例えば、発泡スチロール、ウレタン等の樹脂材が用いられる。ポンプ２０から発生する騒音が保温材１８により吸収されることで、防音効果が向上する。また、低温環境でのポンプ２０の使用において保温効果を得ることができ、ポンプ２０内での流体の凍結を防止することができる。図示された例では、保温材１８は平板形状を有しており、左壁部１１及び右壁部１２の内側に貼り付けられていたが、これに限定されず、保温材１８はポンプ２０やモーターの形状に適合するようにくり抜かれていてもよい。
【００２９】
次に、このような構成からなる防音カバー１０の使い方について説明する。
まず、ポンプ運転時は、図１に示すように、防音カバー１０の左天井部１３ａと右天井部１３ｂとが左右に閉じられる。この時、ポンプ２０の吐出し配管２３は、切欠き１４ａ、１４ｂの内側に固定された防振ゴム１５によって３６０°挟み込まれる。ポンプ２０の振動・騒音源としてキャビテーション時における吐出し配管２３の振動の影響が大きいが、吐出し配管２３が防振ゴム１５により挟み込まれることで、吐出し配管２３からの振動及び騒音が効果的に抑えられ得る。
【００３０】
次いで、左天井部１３ａの端部と右天井部１３ｂの端部とが留め具１７を用いて互いに固定される。これにより、ポンプ運転中に、振動の影響などにより天井部１３が不意に開いてしまって騒音が外部に漏れだすことを防止できる。
【００３１】
本実施の形態では、天井部１３はアーチ形状を有しているため、左天井部１３ａと右天井部１３ｂとが左右に閉じられた状態では、左天井部１３ａと右天井部１３ｂとは互いの重力を支え合う。そのため、左壁部１１及び右壁部１２との折り曲げ部分にかかる負荷が低減され、折り曲げ部分の疲労による破損が低減され得る。
【００３２】
一方、ポンプメンテナンス時は、図２に示すように、防音カバー１０の左天井部１３ａと右天井部１３ｂとが左右に開かれる。この時、左天井部１３ａ及び右天井部１３ｂはそれぞれ左壁部１１及び右壁部１２に連結されていて分離されないため、防音カバー１０の組立時に左天井部１３ａと右天井部１３ｂとを付け間違えるおそれがない。
【００３３】
本実施の形態では、防音カバー１０の前方及び後方が開放されており、左天井部１３ａと右天井部１３ｂとを左右に開くだけで、作業者がポンプ２０にアクセスすることが可能となる。従って、ポンプメンテナンス時の作業性が大幅に向上する。
【００３４】
以上のように、本実施の形態によれば、天井部１３が左天井部１３ａ及び右天井部１３ｂに分割されており、両開き扉のように左右に開閉することができるため、防音カバー１０の分解及び組立作業が容易である。また、左天井部１３ａ及び右天井部１３ｂが左右に開かれる際に、左天井部１３ａ及び右天井部１３ｂはそれぞれ左壁部１１及び右壁部１２に連結されていて分離されないため、防音カバー１０の組立時に左天井部１３ａと右天井部１３ｂとを付け間違えるおそれがない。したがって、従来の箱型の防音カバーに比べて、ポンプメンテナンス性が大幅に向上する。
【００３５】
また、本実施の形態によれば、防音カバー１０の前方及び後方が開放された簡易な構造であるため、ポンプ２０の吸込み配管（不図示）やモーター（不図示）と物理的に干渉する部分が少ない。したがって、様々なサイズのポンプ２０に適合することが可能である。
【００３６】
また、本実施の形態によれば、天井部１３はアーチ形状を有しており、左天井部１３ａと右天井部１３ｂとが左右に閉じられた状態では、左天井部１３ａと右天井部１３ｂとが互いの重力を支え合う。そのため、左壁部１１及び右壁部１２との折り曲げ部分にかかる負荷が低減され、折り曲げ部分の疲労による破損が低減され得る。
【００３７】
また、本実施の形態によれば、防音カバー１０の内側に保温材１８が配置されているため、ポンプ２０から発生する騒音が保温材１８により吸収される。これにより、防音効果が向上する。また、低温環境でのポンプの使用において保温効果を得ることができ、ポンプ２０内での流体の凍結を防止できる。
【００３８】
なお、本実施の形態では、天井部１３がアーチ形状を有していたが、左天井部１３ａと右天井部１３ｂとが互いの重力を支え合うような形状であれば、これに限定されない。例えば、天井部１３は三角屋根形状を有していてもよい。この場合も、左天井部１３ａと右天井部１３ｂとが互いの重力を支え合うことで、左壁部１１及び右壁部１２との折り曲げ部分にかかる負荷が低減され、折り曲げ部分の疲労による破損が低減され得る。
【００３９】
また、本実施の形態では、防音カバー１０の内側に保温材１８が設けられていたが、保温材１８の代わりに放熱材（不図示）が設けられていてもよい。放熱材としては、例えばスチールウールが用いられる。この場合、ポンプ２０から発生する騒音が放熱材により吸収されることで、防音効果が向上する。また、高温環境でのポンプの使用においては、放熱材により放熱効果を得ることにより、高温によりポンプ２０が破損することを防止できる。なお、放熱効果を高めるためには、放熱材はポンプ２０やモーターと接触するように設けられていることが好ましい。
【００４０】
また、本実施の形態では、左天井部１３ａ及び右天井部１３ｂの両方に切欠き１４ａ、１４ｂが形成されていたが、これに限定されず、左天井部１３ａ及び右天井部１３ｂの一方にのみ切欠きが設けられていてもよい。
【符号の説明】
【００４１】
１０    防音カバー
１１    左壁部
１２    右壁部
１３    天井部
１３ａ  左天井部
１３ｂ  右天井部
１４ａ  切欠き
１４ｂ  切欠き
１５    防振ゴム
１６    ヒンジ
１７    留め具
１８    保温材
１９    台座
２０    横型渦巻きポンプ
２１    吸込口
２２    吐出口
２３    吐出し配管
【図１】
2017160882.tif 000003
【図２】
2017160882.tif 000004